【事件の表示】
　特許第２７７２０１３号「医用画像伝送システム」の請求項１ないし４に係る特許に対する特許異議の申立てについて、次のとおり決定する。
【結論】
　訂正を認める。
　特許第２７７２０１３号の請求項１ないし４に係る特許を維持する。
【理由】
１．本件発明
　特許第２７７２０１３号の請求項１から請求項４に係る発明は、平成１年１月２５日に出願され、平成１０年４月１７日にその設定登録がなされ、その後、申立人　藤井洋治及び申立人　石田保より特許異議申立がなされ、取消理由通知がなされ、その指定期間内である平成１１年５月１０日に訂正請求がなされた後、訂正拒絶理由が通知され、訂正拒絶理由通知に対して手続補正書が提出されたものである。
２．訂正の適否についての判断
２−１．訂正請求に対する補正の適否
　特許権者は、訂正請求書の、以下の▲１▼〜▲３▼の補正を求めるものである。
　▲１▼訂正請求書の第２頁第２３行記載の「又は画像表示条件」を「及び画像表示条件」に補正する。
　▲２▼訂正請求書第４頁第２６行乃至第５頁第１行記載の「特許請求の範囲…ためのものであり、」を「特許請求の範囲に記載された「画像処理条件又は表示条件」の意味するところが不明瞭となっていたため、「画像処理条件及び画像表示条件」と訂正し、この意味するところを明瞭とするためのものであり、」に補正する。
　▲３▼訂正請求書第３頁第４行乃至同頁第１１行記載の「明細書第３頁…に訂正する。」を「明細書第３頁第１１行乃至第４頁第２行記載の「上記目的…できるようになる。」を「上記目的を達成するために本発明は、画像発生装置から発生された医用画像をこの画像発生装置に接続された一方の装置から他方の装置に伝送し前記各装置の各表示手段に表示して診断に供する医用画像伝送システムにおいて、画像処理条件及び画像表示条件を設定する、前記一方又は他方の装置に設けられる条件設定手段と、この条件設定手段により自装置に設定される条件を相手方の装置に対して伝送する条件伝送手段と、この条件伝送手段により伝送された条件に基づいて所定の処理を行う処理手段とを備えたことを特徴とするものである。
（作用）
　自装置の医用画像を処理するごとに前記画像処理条件及び画像表示条件を相手方の装置に伝送するので、従来のように処理像を伝送する必要はなくなり伝送情報量を少なくすることができる。これによって双方でリアルタイムで画像表示が可能となり、条件の等しい同一画像を読影することができるようになる。」に訂正する。」
　上記▲１▼〜▲３▼の補正は、訂正請求書により訂正を求める範囲内において、訂正請求書に添付された明細書の特許請求の範囲の請求項１〜４に記載された「画像処理条件又は画像表示条件」を「画像処理条件及び画像表示条件」とし、それに伴って、不明りょうとなる明細書の記載を明りょうにするものであり、補正前の全文訂正明細書からみて、明りょうでない記載の釈明に該当するから、この補正は訂正の要旨を変更するものではない。
２−２補正された訂正明細書の請求項１から請求項４に係る発明
　補正された訂正明細書の請求項１から請求項４に係る発明（以下、「本件発明１」、「本件発明２」、「本件発明３」及び「本件発明４」という。）は、その特許請求の範囲の請求項１から請求項４に記載された次の事項によって特定されるとおりのものである。
　「（１）画像発生装置から発生された医用画像をこの画像発生装置に接続された一方の装置から他方の装置に伝送し前記各装置の各表示手段に表示して診断に供する医用画像伝送システムにおいて、
　画像処理条件及び画像表示条件を設定する、前記一方又は他方の装置に設けられる条件設定手段と、
　この条件設定手段により自装置にて設定される条件を相手方の装置に対して伝送する条件伝送手段と、
　この条件伝送手段により伝送された条件に基づいて所定の処理を行う処理手段とを備えたことを特徴とする医用画像伝送システム。
（２）前記伝送される画像は原画像であることを特徴とする請求項１記載の医用画像伝送システム。
（３）通信モードを設定する通信モード設定手段を具備し、前記条件伝送手段は前記通信モードが設定されているときのみ前記条件設定手段により自装置にて設定される条件を相手方の装置に対して伝送することを特徴とする請求項１に記載の医用画像伝送システム。
（４）前記通信モードが設定されていない場合、前記条件設定手段により設定される条件は当該手段が設けられた装置においてのみ有効であることを特徴とする請求項２に記載の医用画像伝送システム。」
２−３訂正の目的の適否、新規事項の有無及び拡張・変更の存否
（２−３−１）特許権者が求めている訂正の内容は以下のＡ及びＢのとおりである。
Ａ　特許請求の範囲に係る記載「（１）画像発生装置から発生された医用画像をこの画像発生装置に接続された一方の装置から他方の装置に伝送し前記各装置の各表示手段に表示して診断に供する医用画像伝送システムにおいて、画像処理条件又は表示条件を設定する、前記一方又は他方の装置に設けられる条件設定手段と、この条件設定手段により自装置にて設定される条件を相手方の装置に対して伝送する条件伝送手段と、この条件伝送手段により伝送された条件に基づいて所定の処理を行う処理手段とを備えたことを特徴とする医用画像伝送システム。」を明瞭でない記載の釈明を目的として、
「（１）画像発生装置から発生された医用画像をこの画像発生装置に接続された一方の装置から他方の装置に伝送し前記各装置の各表示手段に表示して診断に供する医用画像伝送システムにおいて、
　画像処理条件及び画像表示条件を設定する、前記一方又は他方の装置に設けられる条件設定手段と、
　この条件設定手段により自装置にて設定される条件を相手方の装置に対して伝送する条件伝送手段と、
　この条件伝送手段により伝送された条件に基づいて所定の処理を行う処理手段とを備えたことを特徴とする医用画像伝送システム。」に訂正する。
Ｂ　これに伴い、特許請求の範囲の記載と発明の詳細な説明の記載との整合を図るため、明瞭でない記載の釈明を目的として、明細書の記載を以下ａ〜ｏとおり訂正する。
ａ．明細書第３頁第１１行乃至第４頁第２行記載の「上記目的…できるようになる。」を
「　上記目的を達成するために本発明は、画像発生装置から発生された医用画像をこの画像発生装置に接続された一方の装置から他方の装置に伝送し前記各装置の各表示手段に表示して診断に供する医用画像伝送システムにおいて、画像処理条件及び画像表示条件を設定する、前記一方又は他方の装置に設けられる条件設定手段と、この条件設定手段により自装置に設定される条件を相手方の装置に対して伝送する条件伝送手段と、この条件伝送手段により伝送された条件に基づいて所定の処理を行う処理手段とを備えたことを特徴とするものである。
（作　用）
　自装置の医用画像を処理するごとに前記画像処理条件及び画像表示条件を相手方の装置に伝送するので、従来のように処理像を伝送する必要はなくなり伝送情報量を少なくすることができる。これによって双方でリアルタイムで画像表示が可能となり、条件の等しい同一画像を読影することができるようになる。」
に訂正する。
ｂ．明細書第４頁第１２行乃至同頁第１３行記載の「処理条件，表示条件」を「画像処理条件，画像表示条件」に訂正する。
ｃ．明細書第５頁第２行乃至同頁第３行記載の「画像処理」を「処理」に訂正する。
ｄ．明細書第５頁第４行記載の「各種画像処理」を「各種処理」に訂正する。
ｅ．明細書第５頁第７行乃至同頁第１２行記載の「この画像処理は…実行される。」を「この画像に対する処理は次表に示すように、（１）画像処理条件，（２）画像表示条件，（３）グラフィック処理条件に基いて、各々対応したような各種処理を行うことができ、これら各種条件は一つの装置が画像処理を行う毎に、及び画像表示条件，グラフィック処理条件を変更する毎に他方の装置に伝送されて実行される。」に訂正する。
ｆ．明細書第６頁第１行記載の「（１）処理条件」を「（１）画像処理条件」に訂正する。
ｇ．明細書第６頁第７行記載の「（２）表示条件」を「（２）画像表示条件」に訂正する。
ｈ．明細書第６頁第１３行記載の「（１）処理条件」を「（１）画像処理条件」に訂正する。
ｉ．明細書第８頁第１行乃至同頁第２行記載の「表示条件」を「画像表示条件」に訂正する。
ｊ．明細書第８頁第１４行記載の「（１）処理条件」を「（１）画像処理条件」に訂正する。
ｋ．明細書第９頁第１３行乃至第１０頁第６行記載の「処理条件…表示が行われる。」を「画像処理条件である場合フローはステップＣに進み、このステップＣにおいて受信された画像処理条件に基いて画像処理が行われる。一方、画像処理条件でない場合はフローはステップＤに進みここで（２）画像表示条件か否かが判定される。画像表示条件である場合フローはステップＥに進み、このステップＥにおいて受信された画像表示条件に基いて画像が表示される。一方、画像表示条件でない場合はフローはステップＦに進み、ここで（３）グラフィック処理条件（カーソル、ＲＯＩ等）か否かが判定される。グラフィック処理条件である場合フローはステップＧに進み、このステップＧにおいてそのグラフィック処理条件に基いてカーソル、ＲＯＩ等の表示が行われる。」に訂正する。
ｌ．明細書第１０頁第１３行乃至同頁第１６行記載の「表示条件…表示することができる。」を「画像表示条件、グラフィック処理条件等が相手方に伝送されるので、受信側ではこれら条件に基いて自動的に画像に対して処理を行って同一画像を表示することができる。」に訂正する。
ｍ．明細書第１１頁第９行記載の「画像処理」を「画像に対して処理」に訂正する。
ｎ．明細書第１１頁第１７行記載の「表示条件」を「画像表示条件」に訂正する。
ｏ．第３図を添付のように訂正する。
（２−３−２）
　上記訂正事項Ａについては、特許明細書の特許請求の範囲に記載された「画像処理条件又は表示条件」の意味が不明りょうとなっていたため、「画像処理条件及び画像表示条件」と訂正し、その意味を明りょうにするためのものであり、「画像処理条件」とは、特許明細書第６頁に記載されている表に示された「ａ．各種フィルタ　Ａ，Ｂ，Ｃ、ｂ．エッジ強調処理、ｃ．拡大処理、ｄ．縮小処理、ｅ．階調処理、ｆ．切出し処理、ｇ．白黒反転処理、ｈ．左右反転処理、ｉ．上下反転処理、ｊ．１８０°回転処理」であり、「画像表示条件」とは、「ａ．表示位置、ｂ．モニタ複数台」であることを明りょうとするための訂正である。そしてこの訂正により特許請求の範囲を実質的に減縮するものである。
　また、訂正事項Ｂについては、明細書中での表現を統一するためのものであり、特許明細書及び図面の記載に基づいている。
　従って、これら訂正事項Ａ及びＢは明りょうでない記載の釈明に相当するものである。また、訂正事項Ａ及びＢは、特許明細書及び図面に記載した事項の範囲内の訂正であり、実質上特許請求の範囲を拡張し又は変更するものではない。
２−４独立特許要件の判断
（異議の証拠）
　異議申立人は以下の刊行物１から６を提示している。
刊行物　１：特開昭６１−２８５８８９号公報（異議申立人石田保の甲第１号証、異議申立人藤井洋治の甲第１号証）
刊行物　２：木村　博一監修「最近の医用画像診断装置」初版第１刷（株）朝倉書店１９８８年６月２５日発行ｐｐ．２４０−２６９）（異議申立人石田保の甲第２号証）
刊行物　３：（「ＭＥＤＩＣＡＬ　ＩＭＡＧＩＮＧ　ＴＥＣＨＮＯＬＯＧＹ」Ｖｏｌ．５　ＮＯ．４　日本医用画像工学会　昭和６２年１２月１日発行　ｐｐ．３４７−３５３　高橋　隆による論文「ＰＡＣＳの技術的展望」）（異議申立人石田保の甲第３号証）
刊行物　４：「電子情報通信学会技術研究報告」信学技報Ｖｏｌ．８７　ＮＯ　．３２１（社）電子情報通信学会　１９８７年１２月２５日発行　ｐｐ．６７−７２　鳩野逸生他４名による論文「マルチメディア在席対話システム」）（異議申立人石田保の甲第４号証）
刊行物　５：特開昭５９−２１３３号公報（異議申立人石田保の甲第５号証、異議申立人藤井洋治の甲第３号証）
刊行物　６：情報処理学会第２９回全国大会講演論文集（ＩＩ）第９１９〜９２０頁（異議申立人藤井洋治の甲第２号証）
（刊行物の記載事項）
＜刊行物１＞
　▲１▼刊行物１は、「異なる場所において同一画像を観察しながらの情報交換をリアルタイム（実時間）で容易に行い得る画像通信ネットワーク装置」（第１頁右下欄第１５行乃至同欄第１８行）に関する。この発明の具体的な構成が第１図に示され、その説明に、「７，８はそれぞれ異なる場所例えば異なる病院に配置された第１，第２の画像表示装置であり、この第１，第２の画像表示装置７，８はデ−タネットワ−クＮを介して接続されている。デ−タネットワ−クＮは画像データを転送するための画像ネットワ−クＮ１，ＲＯＩデ−タを転送するためのＲＯＩネットワ−クＮ２及び第１，第２の画像表示装置７，８間のデ−タ通信に関する制御信号を転送するためのコントロ−ルネットワ−クＮ３とを有して成る」（第２頁左上欄第１８行乃至同頁右上欄第８行）ものであり、ＲＯＩデ−タとは、関心領域に関するデ−タのことである（第２頁左上欄第１６行乃至同欄第１７行）。
　▲２▼第１，第２の画像表示装置７，８は同様の構成をなしており、それらの各部に付されている符号は、同一数字に添字ａ、ｂでもって区別している（第２頁右上欄第１６行乃至同欄末行）が、第１の画像装置７についての説明によると、「画像メモリ１０ａはインタフェ−ス９ａにより取り込まれた画像デ−タ又は後述する第２の演算手段１６ａの演算出力を記憶するものであり、この画像像メモリ　１０ａの記憶内容は表示手段１５ａに表示されるように成っている。特に前記第２の演算手段１６ａの演算出力は、この画像メモリ１０ａ及びインタフェ−ス９ａを介して画像ネットワ−クＮ１へも出力されるように成っている。」（第２頁左下欄第１０行乃至同欄第１８行）と記載されており、この「インタフェ−ス９ａは、デ−タネットワ−クＮに接続されており、デ−タネットワ−クＮを介してのデ−タの出し入れを行う」（第２頁左下欄第８行乃至同欄第１０行）ものであるから、デ−タネットワ−クＮを介して伝送されてきた断層像は、一旦画像メモリ　１０ａに記憶された後、表示手段１５ａで表示されることになる。また、上記の「第２の演算手段１６ａはＣＴスキャナ−１７ａにおいて収集されたＸ線情報を基にバックプロジェクション処理を行い、図示しない被検体の断層像を再構成する」（第２頁右下欄第１６行乃至同欄第１９行）ものである。以上の構成は、第２の画像表示装置８についても同様である（第２頁右下欄末行乃至同第８頁左上欄第２行）。
　▲３▼そして、「ＣＴスキャナ１７ａによって収集されたＸ線情報は第２の演算手段１６ａに入力され画像再構成に供されるが、再構成された断層像は画像メモリ１０ａを介して表示手段１５ａに表示されると共に、インタフェ−ス９ａ，画像ネットワ−クＮ１，インタフェ−ス９ｂ，画像メモリ１０ｂを介して表示手段１５ｂにも表示される。同様に、ＣＴスキャナ１７ｂによって収集されたＸ線情報による断層像も表示手段１５ａ，１５ｂの双方に同時に表示することもできる。」（第３頁左下欄第９行乃至同欄第１９行）と記載され、また、「このように本実施例にあっては、……医師等が異なる場所にいても、同一画像を観察しながら診断に関する情報交換をリアルタイムで容易に行うことが可能となる」（第３頁右下欄第３行乃至同欄第１０行）としている。
　▲４▼また、刊行物１には、上記の関心領域に関するＲＯＩデータについての記載がある。即ち、「表示手段１５ａの表示画像を観察する医師等によるＲＯＩ設定は入力手段１４ａにより行うことができる。すなわち、入力手段１４ａの出力に基づくＲＯＩ領域は第１の演算手段１８ａにより演算され、送信用ＲＯＩメモリ１２ａを介して表示手段１５ａに表示される。……前記送信用ＲＯＩメモリ１２ａの記憶内容は表示手段１５ａに出力されると共に、インタフェース９ａ，ＲＯＩネットワークＮ２，インタフェース９ｂ及び受信用ＲＯＩメモリ１１ｂを介して表示手段１５ｂに出力される。それ故、第１の画像表示装置７における表示手段１５ａのＲＯＩ１８ａは、第２の画像表示装置８における表示手段１５ｂにもリアルタイムで表示される。」（第３頁左上欄第１８行乃至同右上欄第１２行）と記載されている。第３頁右上欄第１２行乃至同欄第１７行に記載のように、第２の画像表示装置８の入力手段１４ｂで入力されたＲＯＩデータも、同様に、第１，第２の画像表示装置７，８の表示手段１５ｂ、１５ａにリアルタイムで表示される。なお、第１の画像表示装置７では、「送信用ＲＯＩメモリ１２ａは……であり、その記憶内容は表示手段１５ａ表示画像上に重ねて表示される」（第２頁右下欄第２行乃至同欄第５行）ものであり、第２の画像表示装置８についても同様である。
　▲６▼刊行物１において、デ−タネットワ−クＮを介して伝送される医用画像は、ＣＴスキャナ１７ａ，１７ｂで発生されて第２の演算手段１６ａ，１６ｂで画像再構成処理された断層像は処理がなされずに表示されるものである。従って、この断層像は本件発明２の「原画像」に相当するものである。
＜刊行物２＞
　医用画像管理システム（ＰＡＣＳ）についての記載がある。このＰＡＣＳは、その図８．１に示される構成をなしており、「すべての診断画像をディジタルデ−タの形で画像デ−タベ−スに記録し、診断・治療の際には、必要な画像を検索，ＣＲＴ表示し、……画像診断装置，画像デ−タベ−ス，診断用ワ−クステ−ションなどは……ネットワ−クにより相互に接続」したものである（第２４０頁下から６行目乃至同３行目）。
　そして、第２５４頁乃至同第２５６頁に記載の「８．３．３画像診断用ワ−クステ−ション」の項には、まず、「複数のＣＲＴモニタ，画像処理と検索機能を有するコンピュ−タ、および操作盤などを備えたものをワ−クステ−ションと呼んでいる。ＰＡＣＳにおいては　ＣＲＴ　モニタ上に表示した画像で診断するのが目標である」とし、この一例が図８．１４〜図８．１８を用いて説明されている。その説明によると、「２０インチのモノカラーＣＲＴ３台を備えている」（第２５４頁下から７行目）とし、また、「ＩＰ（注：図８．１５）は画像処理回路で、……メモリを有し、メモリ上での画像データの処理，画像の配列などを実行する」（第２５４頁末行乃至同第２５６頁第１行）ものであって、「画像の表示・処理はＣＲＴモニタの上下に表示される作業表示を、アイコンとマウスで指して行う。処理機能はスクロール，ピックアップ，ズーム，スワップおよび各種画像処理‐ウィンドウイング，濃度変換，エッジ強調。距離・角度計測など‐が用意されている」（第２５６頁第７行乃至同頁第９行）としている。
　このように、刊行物２には、ＣＲＴモニタに医用画像を表示して診断を行う場合、かかるＣＲＴモニタに処理機能を持たせ、医師などの画面操作により、スクロール，ピックアップ，ズーム，スワップといった医用画像の表示条件や、濃度変換，エッジ強調などといった画像処理条件を設定することができるようにした発明が記載されている。
＜刊行物３＞
　刊行物３は、その第３４７頁右欄第５行乃至同欄第７行（Ｔａｂｌｅ　ｌの部分は含まず）に記載のように、刊行物２と同様、医用画像を表示手段に表示して診断を行なうＰＡＣＳに関して記載されるものであり、「この画面上で手指による選択により、画像表示用ＣＲＴ上での画像の左右・上下反転，黒白反転等ができる」（第３４９頁左欄第１０行乃至同欄第１２行）と記載され、また、「９０°回転あるいは任意回転角度の機能も必要ではないかと思われた」（第３４９頁左欄第１７行乃至同欄第１８行）とも記載されており、表示される医用画像に対し、左右・上下反転，黒白反転，９０°回転あるいは任意回転角度などといった画像処理条件を設定することが記載されている。
＜刊行物４＞
　刊行物４には、その第６７頁右下欄第８行乃至同欄第１４行に記載のように、「通信に電話網を用いることにより、音声で対話しながらのマルチメディア（テキスト、手書き、イメ−ジ、図形）文書の双方同時参照、編集などの機能を遠隔地間で提供し、……音声とデ−タの同時通信機能を持った多機能電話機、パソコン、周辺装置（タブレット、マウス等）を結合することにより構成され」るマルチメディア在席対話システムが記載されている。
　このシステムでは、「会議机という仮想的情報共有スペ−スを導入」し（第６８頁右欄第１６行乃至同欄第１７行。）、「会議机の資料に対しては、参照（資料内容を画面に表示すること）等の任意の操作をどちらの利用者からも対等に行うことができ、資料は両利用者にとって共有されているように見える」（第６８頁右欄第２３行乃至同欄第２７行）ようにするとしている。そして、「会議机の実現方法は、応答速度をあげるために、前もって両パソコン上に同一の資料を配布しておき、参照や修正等の操作デ−タのみをそのつど通信することによって実現する。」（第６９頁左欄第３行乃至同欄第６行）と記載され、また、「対話中、両パソコンのウィンドウは同一の内容が表示される。両利用者は、文字の書き込み・削除、頁めくり等の全ての操作を対等に行うことができ、片方の利用者の操作は即座に他方のパソコンに通信され、両パソコンの画面には同一の結果が表示される。」（第６９頁左欄第１２行乃至同欄第１７行）と記載されている。さらに、「音声で対話しながらのマルチメディア文書の参照・編集およびマウスでポインティングしながらプレゼンテ−ションを行なうことができる。機能の詳細を表２に示す」（第７２頁左欄第５行乃至同欄第８行）と記載されて、かかる機能として、第７２頁の左欄の表２に、表示される画像（文字や図形，イメ−ジ，手書きなど）の移動，複写，置換，削除といった処理条件や、頁めくり，スクロ−ルといった表示条件が示されている。
＜刊行物５＞
　刊行物５は、例えば、その第１頁右下欄第５行乃至同欄第９行に記載のように、手書情報についてではあるが、情報を相手端末へも送信し、自端末と相手端末とで同じ情報を表示させることにより、遠隔会議等を行うことができるようにした発明に関するものである。
　その第２図の説明によると、１０，１０′は同一構成をなす端末であるが（第２頁右上欄第１９行）、「切換スイッチ１３，１５を図示状態とし、切換スイッチ１４を合成回路１１側に切換えると、手書入力用ボ−ド１による手書き情報は、……自端末の画像表示装置２にのみ表示されるロ−カルモ−ドとなる。また、「切換スイッチ１３をオンすると、送信バッファ８を介して相手端末へ手書情報が送信され、……画像表示装置２には自端末と相手端末との手書情報が……表示され、通信会話モ−ドとなる。」（第２頁右下欄第１３行乃至第３頁左上欄第５行）と記載されている。
＜刊行物６＞
　刊行物６には、以下の▲１▼〜▲３▼が示されている。
　▲１▼「電子会議はＬＡＮ等の高速通信網で結合された複数のワークステーション（ＷＳ）の間で行う。電子会議とは会議に参加する全員のＷＳ上に、マルチウィンドウ環境下で、共有ウィンドウ（同一内容、同時ｕｐｄａｔｅ）をいくつか表示し、会議電話で音声も共有させながら討論や相談を行う環境を提供するものである。」（同上文献第９１９頁、「２．電子会議サ−ビスの機能」の項）。
　▲２▼「共有サービスに対する入力は各ＷＳ（の参加者）から、分散的に行われる。全入力を単純にマ−ジして、共有サ−ビスに与える方法は、複数の参加者が並行して入力した場合、入力列が混合して正しく理解できない。従って、どれか１つのＷＳからの選択入力を行う機能および選択するＷＳを切り換える機能が必要になる。」（同上文献第９１９頁「３．２入力権制限機能」の項）。
　▲３▼「共有カ−ソルは、各参加者ＷＳで相対的に同じ位置に同期して表示されるカ−ソルであり、通常のロ−カルカ−ソルと別にもう　１つ存在する。入力権を持つＷＳでは、この共有カ−ソルとロ−カルカ−ソルが一致する。」（同上文献第９２０頁「（ｉｉｉ）共有カ−ソルの初期化」の項）。
（本件発明と刊行物に記載された発明との対比・判断）
＜本件発明１＞
　本件発明１と刊行物１に記載された発明とを対比すると、刊行物１に記載された「ＣＴスキャナ１７ａ、１７ｂ」及び「第２の演算手段１６ａ、１６ｂ」は本件発明１における「画像発生装置」に相当し、刊行物１の「Ｘ線情報から画像再構成された断層像」は本件発明１の「医用画像」に相当し、上記の「第１の画像表示装置７（または第２の画像表示装置８）」は本件発明１における「一方の装置」に相当し、上記の「第２の画像表示装置８（または第１の画像表示装置７）」は本件発明１における「他方の装置」に相当し、上記の「表示手段１５ａ，１５ｂ」は本件発明１における「各装置の各表示手段」に相当する。
　してみると、本件発明１は、伝送される情報が「医用画像」、「画像処理条件及び画像表示条件」であるのに対し、刊行物１に記載された発明では「医用画像」と「ＲＯＩデ−タ」である点で相違する。
　そこで、この相違について検討する。刊行物２、３は、医用画像の管理システムの構成を示すものであり、画像デ−タ処理、画像の配列を実行することが示され、刊行物４には、マルチメディア在席対話システムにおいて、対話中の両パソコンに表示された同一の手書きを含む文書に一方が行った書き込み、修正を、通信回線を介して他方のパソコンに反映させることが示され、刊行物５には、自端末の手書情報と他端末の手書情報とを、通信モード時に重畳して自端末と他端末とに表示させことが示され、刊行物６には、カ−ソルを複数のワ−クステ−ションで共用するようにした電子会議サ−ビスの構成が示されている。すなわち、刊行物２〜６には、画像に関する情報を伝送すること及び画像処理を行うこと、画像表示条件に相当する表示位置に関する情報を伝送することが示されているが、伝送する情報を、画像、画像処理条件及び画像表示条件とすることは、いずれの刊行物にも記載されていなし、これを示唆する記載もない。なお、刊行物１に記載されたＲＯＩ、刊行物６に記載されたカ−ソルに関する情報はグラフィック処理条件に含まれる。そして、この相違によって本件発明１は特許明細書記載の効果を奏するものである。
　よって、本件発明１は刊行物１〜６に記載された発明ではなく、かつ、刊行物１〜６に記載された発明に基づいて当業者が容易に発明できたものでもない。
＜本件発明２〜４＞
　本件発明２は、本件発明１の構成である、「画像」をさらに限定し、本件発明３、４は、本件発明１の構成に通信モ−ド設定手段を付加したものである。してみると本件発明１と同様の理由によって、本件発明２〜４は刊行物１〜６に記載された発明とすることも、刊行物１〜６に記載された発明に基づいて当業者が容易に発明できたものとすることもできない。
２‐５むすび
　以上のとおりであるから、上記訂正は、特許法第１２０条の４第２項及び同条第３項で準用する平成６年改正法による改正前の第１２６条第１項ただし書き、同条第２〜３項の規定に適合するので、当該訂正を認める。
３．特許異議の申立てについての判断
３‐１申立ての理由の概要
　異議申立人　石田保は、本件の請求項１〜４に係る発明は甲第１〜５号証の刊行物に記載された発明に基づいて、当業者が容易に発明をすることができたものであるから、特許法第２９条第２項の規定により、特許を受けることができないものであり、取り消されるべきものである旨、また異議申立人　藤井洋治は、本件の請求項１〜４に係る発明は甲第１〜３号証の刊行物に記載された発明に基づいて、当業者が容易に発明をすることができたものであり、特許法第１１３条第１項第２号の規定により取り消されるべきものである旨主張している。
３‐２判断
　本件の請求項１〜４に係る発明（訂正明細書の請求項１〜４に係る発明）は、上記２．２‐４独立特許要件の判断で示したように、異議申立人の提示した刊行物に記載された発明ではなく、当該刊行物に記載された発明に基づいて当業者が容易に発明できたものでもない。
　そして、他に本件の請求項１〜４に係る発明を取り消すべき理由を発見しない。
　よって、結論のとおり決定する。
【異議決定日】
平成１１年７月５日（１９９９．７．５）
【訂正の要旨】
訂正の要旨
　特許第２７７２０１３号発明（平成１年１月２５日出願、平成１０年４月１７日設定登録）の願書に添付した明細書及び図面（以下、「原明細書」という。）を、明りょうでない記載の釈明を目的として、訂正請求書（平成１１年５月１０日請求、平成１１年６月２２日補正）に添付した訂正明細書のとおり、すなわち、次のＡ及びＢのとおり訂正する。
Ａ　原明細書の特許請求の範囲に係る記載「（１）画像発生装置から発生された医用画像をこの画像発生装置に接続された一方の装置から他方の装置に伝送し前記各装置の各表示手段に表示して診断に供する医用画像伝送システムにおいて、画像処理条件又は表示条件を設定する、前記一方又は他方の装置に設けられる条件設定手段と、この条件設定手段により自装置にて設定される条件を相手方の装置に対して伝送する条件伝送手段と、この条件伝送手段により伝送された条件に基づいて所定の処理を行う処理手段とを備えたことを特徴とする医用画像伝送システム。」を、
「（１）画像発生装置から発生された医用画像をこの画像発生装置に接続された一方の装置から他方の装置に伝送し前記各装置の各表示手段に表示して診断に供する医用画像伝送システムにおいて、
　画像処理条件及び画像表示条件を設定する、前記一方又は他方の装置に設けられる条件設定手段と、
　この条件設定手段により自装置にて設定される条件を相手方の装置に対して伝送する条件伝送手段と、
　この条件伝送手段により伝送された条件に基づいて所定の処理を行う処理手段とを備えたことを特徴とする医用画像伝送システム。」
に訂正する。
Ｂ　原明細書の記載を以下ａ〜ｏのとおり訂正する。
ａ．明細書第３頁第１１行乃至第４頁第２行記載の「上記目的…できるようになる。」を「上記目的を達成するために本発明は、画像発生装置から発生された医用画像をこの画像発生装置に接続された一方の装置から他方の装置に伝送し前記各装置の各表示手段に表示して診断に供する医用画像伝送システムにおいて、画像処理条件及び画像表示条件を設定する、前記一方又は他方の装置に設けられる条件設定手段と、この条件設定手段により自装置に設定される条件を相手方の装置に対して伝送する条件伝送手段と、この条件伝送手段により伝送された条件に基づいて所定の処理を行う処理手段とを備えたことを特徴とするものである。
（作　用）
　自装置の医用画像を処理するごとに前記画像処理条件及び画像表示条件を相手方の装置に伝送するので、従来のように処理像を伝送する必要はなくなり伝送情報量を少なくすることができる。これによって双方でリアルタイムで画像表示が可能となり、条件の等しい同一画像を読影することができるようになる。」
に訂正する。
ｂ．明細書第４頁第１２行乃至同頁第１３行記載の「処理条件，表示条件」を「画像処理条件，画像表示条件」に訂正する。
ｃ．明細書第５頁第２行乃至同頁第３行記載の「画像処理］を「処理」に訂正する。
ｄ．明細書第５頁第４行記載の「各種画像処理」を「各種処理」に訂正する。
ｅ．明細書第５頁第７行乃至同頁第１２行記載の「この画像処理は・・・実行される。」を「この画像に対する処理は次表に示すように、（１）画像処理条件，（２）画像表示条件，（３）グラフィック処理条件に基いて、各々対応したような各種処理を行うことができ、これら各種条件は一つの装置が画像処理を行う毎に、及び画像表示条件，グラフィック処理条件を変更する毎に他方の装置に伝送されて実行される。」に訂正する。
ｆ．明細書第６頁第１行記載の「（１）処理条件」を「（１）画像処理条件」に訂正する。
ｇ．明細書第６頁第７行記載の「（２）表示条件」を「（２）画像表示条件」に訂正する。
ｈ．明細書第６頁第１３行記載の「（１）処理条件」を「（１）画像処理条件」に訂正する。
ｉ．明細書第８頁第１行乃至同頁第２行記載の「表示条件」を「画像表示条件」に訂正する。
ｊ．明細書第８頁第１４行記載の「（１）処理条件」を「（１）画像処理条件」に訂正する。
ｋ．明細書第９頁第１３行乃至第１０頁第６行記載の「処理条件・・・表示が行われる。」を「画像処理条件である場合フローはステップＣに進み、このステップＣにおいて受信された画像処理条件に基いて画像処理が行われる。一方、画像処理条件でない場合はフローはステップＤに進みここで（２）画像表示条件か否かが判定される。画像表示条件である場合フローはステップＥに進み、このステップＥにおいて受信された画像表示条件に基いて画像が表示される。一方、画像表示条件でない場合はフローはステップＦに進み、ここで（３）グラフィック処理条件（カーソル、ＲＯＩ等）か否かが判定される。グラフィック処理条件である場合フローはステップＧに進み、このステップＧにおいてそのグラフィック処理条件に基いてカーソル、ＲＯＩ等の表示が行われる。」に訂正する。
ｌ．明細書第１０頁第１３行乃至同頁第１６行記載の「表示条件…表示することができる。」を「画像表示条件、グラフィック処理条件等が相手方に伝送されるので、受信側ではこれら条件に基いて自動的に画像に対して処理を行って同一画像を表示することができる。」に訂正する。
ｍ．明細書第１１頁第９行記載の「画像処理」を「画像に対して処理」に訂正する。
ｎ．明細書第１１頁第１７行記載の「表示条件」を「画像表示条件」に訂正する。
ｏ．第３図を添付のように訂正する。
（５４）【発明の名称】
医用画像伝送システム
（５７）【特許請求の範囲】
（１）画像発生装置から発生された医用画像をこの画像発生装置に接続された一方の装置から他方の装置に伝送し前記各装置の各表示手段に表示して診断に供する医用画像伝送システムにおいて、
　画像処理条件
及び画像表示条件
　この条件設定手段により自装置にて設定される条件を相手方の装置に対して伝送する条件伝送手段と、
　この条件伝送手段により伝送された条件に基づいて所定の処理を行う処理手段とを備えたことを特徴とする医用画像伝送システム。
（２）前記伝送される画像は原画像であることを特徴とする請求項１記載の医用画像伝送システム。
（３）通信モードを設定する通信モード設定手段を具備し、前記条件伝送手段は前記通信モードが設定されているときのみ前記条件設定手段により自装置にて設定される条件を相手方の装置に対して伝送することを特徴とする請求項１に記載の医用画像伝送システム。
（４）前記通信モードが設定されていない場合、前記条件設定手段により設定される条件は当該手段が設けられた装置においてのみ有効であることを特徴とする請求項２に記載の医用画像伝送システム。
【発明の詳細な説明】
［発明の目的］
（産業上の利用分野）
　本発明は、相互間で伝送された医用画像を各モニタに表示して診断に供する医用画像伝送システムに関する。
（従来の技術）
　離島等の医者が例えばＸ線診断装置によって撮影されたＸ線フィルムを中央の大病院へ送付することにより診断を仰ぐことが行われている。更に最近では電話回線等の通信回路を利用して医用画像を遠方に伝送することにより遠隔地での診断を可能にする方法も実施されている。この場合送信側と受信側で同一医用画像をＣＲＴ等のモニタに表示することにより、同時に両側でその画像を読影しながらかつ電話で意見を交換しながら診断を行う、いわゆるＣＲＴ診断が行われる。
　ここで有効なＣＲＴ診断を行うためには双方で種々の画像処理を行うことが望ましく、このためには遠隔地の双方の医師同志が画像処理条件を教え合いながら各側で行わなければならない。またカーソル，関心領域（ＲＯＩ）等のグラフィック処理も双方において行う必要がある。
（発明が解決しようとする課題）
　ところで従来においては、遠隔地の双方において前記のような種々の処理条件を設定して実施する必要があるので操作が困難となって、双方で条件の等しい同一画像を読影するのが実質的に不可能になるという問題がある。またそのようにして処理を行った後の処理像を相手方に伝送するために、伝送する情報量が多くなる結果伝送時間が長くなって、リアルタイムで画像を表示するのが不可能になるので診断能が低下する。
　本発明は以上のような問題に対処してなされたもので、双方でリアルタイムで画像表示を可能にして診断能を向上するようにした医用画像伝送システムを提供することを目的とするものである。
［発明の構成］
（課題を解決するための手段）
　上記目的を達成するために本発明は、画像発生装置から発生された医用画像をこの画像発生装置に接続された一方の装置から他方の装置に伝送し前記各装置の各表示手段に表示して診断に供する医用画像伝送システムにおいて、画像処理条件
及び画像表示条件
（作　用）
　自装置の医用画像を処理するごとに前記画像処理条件
及び
（実施例）
　以下図面を参照して本発明実施例を説明する。
　第１図は本発明の医用画像伝送システムの実施例を示すブロック図で、Ａ，Ｂの一対の伝送装置によって医用画像が相互伝送される構成例を示している。１Ａ，１ＢはモニタでＣＲＴ等から構成されて診断すべき医用画像を表示する。表示Ｉ／Ｆ（インターフェース）２Ａ，２Ｂはモニタ１Ａ，１Ｂを駆動するためのものである。伝送Ｉ／Ｆ（インターフェース）３Ａ，３Ｂは画像，
画像処理条件，画像表示条件
処理
処理
　この
画像に対する
画像処理条件
画像表示条件
画像表示条件
　第４図（ａ）は前記表における（１）
画像処理条件
　各伝送装置Ａ，Ｂの各医師が医用画像を診断するに当っては先ず各装置Ａ，Ｂに同一の医用画像を用意する必要がある。上記伝送する画像は、処理が施されていない画像であることが望ましいので、一方の装置から他方の装置に対してオリジナル画像（原画像）を送る方法が望ましい。また画像データを圧縮して伝送してもよいが、この場合圧縮データが元に再現できるように可逆圧縮方式を採ることが望ましい。
　画像診断は両装置Ａ，Ｂの各医師が電話回線９を介して対話しながら開始され、この場合両装置Ａ，Ｂは予め通信モードに設定される。この通信モードは各種条件を双方の装置で同期させて動作させるために必要となる。一方の装置の医師が装置のキーボード等を操作して画像処理条件や
画像表示条件
　次にフローチャートを参照して本発明の実施例を説明する。
　第２図（ａ）は前記表における（１）
画像処理条件
　また第２図（ｂ）は前記表における（２）画像表示条件を送信する例を示すもので、先ずステップＡにおいて通信モードか否かが判定される。通信モードである場合フローはステップに進み、このステップＢにおいて画像表示条件が相手方に伝送される。これに基いてステップＣにおいて画像表示が行われる。同様にして（３）グラフィック処理条件に対しても適用することができる。
　一方、第３図は受信側におけるフローチャートを示すもので、先ずステップＨで通信モードか否かが判定され、通信モードであればステップＡにおいてデーター受信が行われた後、ステップＢにおいて（１）画像処理条件か否かが判定される。
画像処理条件
画像処理条件
画像処理条件
画像表示条件
画像表示条件
画像表示条件
グラフィック処理条件
　このような本実施例によれば、医用画像を処理するごとに前記画像処理条件、
画像表示条件
画像に対して
　さらに伝送方向はいずれ側にも選ぶことができ、また各装置は通信モード以外時なら独立して画像処理を行うことができる。
［発明の効果］
　以上述べたように本発明によれば、
画像に対して
【図面の簡単な説明】
　第１図は本発明の医用画像伝送システムの実施例を示すブロック図、第２図（ａ），（ｂ）は各々本実施例によって画像処理条件及び
画像表示条件
３Ａ，３Ｂ……伝送インターフェース、
４Ａ，４Ｂ……ＣＰＵ（中央演算処理装置）、
６Ａ，６Ｂ……画像処理部、
８……伝送回線。